(57)【要約】      （修正有）【課題】代替クリックストップデバイスを備えるカメラ用交換レンズ、並びにカメラ用交換レンズの絞りのクリックストップデバイスを作動させる及び作動させないようにするための方法を提供する。【解決手段】絞り４及び光学要素５を保持するための主鏡胴３は光学軸Ａを画定する上記絞り４を異なるＦ値に設定するための、上記光学軸Ａの周りでの回転運動によって回転できる絞り回転リング８、クリックストップデバイスを備える、カメラ用交換レンズ１に関する。クリックストップデバイスは、絞り回転リング８と相互に作用する。【選択図】図１
2015121790.tif 000002
【特許請求の範囲】
【請求項１】
ａ）絞り（４）及び光学要素（５）を保持するための主鏡胴（３）（ここで前記光学要素（５）は光学軸（Ａ）を画定する）；
ｂ）前記絞りを異なるＦ値に設定するための、前記光学軸（Ａ）の周りでの回転運動によって回転できる絞り回転リング（８）；
ｃ）以下のように前記絞り回転リング（８）と相互に作用するクリックストップデバイス（２）：
i）前記クリックストップデバイス（２）はアクティブ動作位置において有効であり、従って前記絞り回転リング（８）は段階的に回転でき；
ii）前記クリックストップデバイス（２）は非アクティブ動作位置において無効であり、従って前記絞り回転リング（８）は連続的に回転でき；
iii）前記クリックストップデバイス（２）は、圧力要素（１８）上に据え付けられたクリックストップ要素（１９）を備え、前記クリックストップ要素は、前記アクティブ動作位置における前記絞り回転リング（８）の段階的な回転を可能とするために、前記圧力要素（１８）の圧力によってクリックストップ溝（９）の中に圧入できる；並びに
ｄ）前記クリックストップデバイス（２）を選択的に作動させる及び非作動状態とするための手段
を備える、カメラ用交換レンズ（１）であって、
ｅ）前記手段は、前記圧力要素（１８）と前記クリックストップ要素（１９）との間に配設される移動要素（１２）を備え、
ｆ）前記アクティブ動作位置では前記圧力要素（１８）によって前記クリックストップ要素（１９）を前記クリックストップ溝（９）の中に圧入でき、かつ前記非アクティブ動作位置では前記クリックストップ溝（９）の中に圧入できなくなるように、前記移動要素（１２）を着脱可能な様式で固定するために、切替え要素（２２）を前記移動要素（１２）に割り当てる
ことを特徴とする、カメラ用交換レンズ（１）。
【請求項２】
前記クリックストップデバイスは、前記クリックストップ要素（１９）を前記主鏡胴（３）の半径方向のボア（２０）内に備え、
前記クリックストップ要素（１９）は、前記絞り回転リング（８）の前記クリックストップ溝（９）の中に圧入できる
ことを特徴とする、請求項１に記載のカメラ用交換レンズ（１）。
【請求項３】
前記クリックストップデバイス（２）は、前記クリックストップ要素（１９）を前記絞り回転リング（８）の半径方向のボア（２０）内に備え、
前記クリックストップ要素（１９）は、前記主鏡胴（３）の前記クリックストップ溝（９）の中に圧入できる
ことを特徴とする、請求項１に記載のカメラ用交換レンズ（１）。
【請求項４】
前記クリックストップデバイスは、前記クリックストップ要素（１９）を前記主鏡胴（３）の軸方向のボア（２０）内に備え、
前記クリックストップ要素（１９）は、前記絞り回転リング（８）の、前記主鏡胴（３）に面する平坦端部側上の、前記クリックストップ溝（９）の中に圧入できる
ことを特徴とする、請求項１に記載のカメラ用交換レンズ（１）。
【請求項５】
前記クリックストップデバイス（２）は、前記クリックストップ要素（１９）を前記絞り回転リング（８）の軸方向のボア（２０）内に備え、
前記クリックストップ要素（１９）は、前記主鏡胴（３）の、前記絞り回転リング（８）に面する平坦端部側上の前記クリックストップ溝（９）の中に圧入できる
ことを特徴とする、請求項１に記載のカメラ用交換レンズ（１）。
【請求項６】
前記クリックストップ要素（１９）は球体として実現されることを特徴とする、請求項１〜５のいずれか１項に記載のカメラ用交換レンズ（１）。
【請求項７】
前記移動要素（１２）はロッカー又は楔として実現されることを特徴とする、請求項１〜６のいずれか１項に記載のカメラ用交換レンズ（１）。
【請求項８】
前記ロッカー（１２）は、ベアリングスタッド（１５）の周りで枢動できるように、特に半径方向に枢動できるように、前記主鏡胴（３）内に配設されることを特徴とする、請求項１〜７のいずれか１項に記載のカメラ用交換レンズ（１）。
【請求項９】
前記アクティブ動作位置では、前記移動要素（１２）は前記切替え要素（２２）によって解放され、これにより前記圧力要素（１８）は、前記移動要素（１２）を介して前記クリックストップ要素（１９）を前記クリックストップ溝（９）の中に圧入することを特徴とする、請求項１〜８のいずれか１項に記載のカメラ用交換レンズ（１）。
【請求項１０】
前記非アクティブ動作位置では、前記移動要素（１２）は、前記切替え要素（２２）によって固定され、これにより前記圧力要素（１８）は、前記クリックストップ要素（１９）にいかなる圧力も印加できなくなることを特徴とする、請求項１〜９のいずれか１項に記載のカメラ用交換レンズ（１）。
【請求項１１】
前記切替え要素（２２）は、前記カメラ用交換レンズ（１）の外部から前記アクティブ動作位置と前記非アクティブ動作位置との間で調整できることを特徴とする、請求項１〜１０のいずれか１項に記載のカメラ用交換レンズ（１）。
【請求項１２】
この目的を達成するために、前記カメラ用交換レンズ（１）にボア（２７）を設け、前記ボア（２７）を通して、例えばねじ回し等の作動要素を用いて、前記動作位置のうちの一方から他方へと前記切替え要素（２２）を切り替えることができることを特徴とする、請求項１１に記載のカメラ用交換レンズ（１）。
【請求項１３】
切替えばね（２６）は、前記動作位置が前記作動要素によって変更されるまで、設定された各前記動作位置に前記切替え要素（２２）が留まるように、前記切替え要素（２２）に力を印加することを特徴とする、請求項１〜１２のいずれか１項に記載のカメラ用交換レンズ（１）。
【請求項１４】
前記切替え要素（２２）はピンとして実現されることを特徴とする、請求項１〜１３のいずれか１項に記載のカメラ用交換レンズ（１）。
【請求項１５】
前記ピンは特に偏心突起（２９）である偏心要素を備えることを特徴とする、請求項１４に記載のカメラ用交換レンズ（１）。
【請求項１６】
展伸加工部（２４）、特に２つの対向した展伸加工部（２４）を、前記ピンの軸方向範囲に沿った部分に形成することを特徴とする、請求項１４又は１５に記載のカメラ用交換レンズ（１）。
【請求項１７】
前記切替えばね（２６）は、前記主鏡胴（３）の凹部に設置された板ばねとして実現され、
前記板ばねは、前記アクティブ動作位置では、第１の前記展伸加工部（２４）に押し付けられ、前記非アクティブ動作位置では、第２の前記展伸加工部（２４）に押し付けられ、
前記偏心要素（２９）は、前記アクティブ動作位置において前記移動要素（１２）を固定し、前記非アクティブ動作位置において前記移動要素を解放する
ことを特徴とする、請求項１６に記載のカメラ用交換レンズ（１）。
【請求項１８】
前記クリックストップ溝（９）の位置は、前記絞り回転リング（８）に適用されるＦ値に対する正確な設定が、アクティブ動作位置において可能となるように選択されることを特徴とする、請求項１〜１７のいずれか１項に記載のカメラ用交換レンズ（１）。
【請求項１９】
前記圧力要素（１８）は圧縮ばねとして実現されることを特徴とする、請求項１〜１８のいずれか１項に記載のカメラ用交換レンズ（１）。
【請求項２０】
カメラのカメラマウントへの接続用のレンズマウント（６）を備えることを特徴とする、請求項１〜１９のいずれか１項に記載のカメラ用交換レンズ（１）。
【請求項２１】
請求項１〜２０のいずれか１項に記載のカメラ用交換レンズ（１）の絞り（４）のクリックストップデバイス（２）を作動させる及び非作動状態とする方法であって、
前記絞り（４）の絞り回転リング（８）は、アクティブ動作位置では段階的に回転し、非アクティブ動作位置では連続的に回転し、
前記クリックストップデバイス（２）のクリックストップ要素（１９）は、前記アクティブ動作位置では、前記絞り回転リング（８）の段階的な回転を可能とするために、圧力要素（１８）の圧力によってクリックストップ溝（９）の中に圧入され；
前記非アクティブ動作位置では、前記圧力要素（１８）とクリックストップ要素（１９）との間に干渉が存在し、これにより、前記圧力要素（１８）から前記クリックストップ要素（１９）への圧力伝達を防止する
ことを特徴とする、方法。
【発明の詳細な説明】
【技術分野】
【０００１】
本発明は、カメラ用の交換レンズに関する。
【背景技術】
【０００２】
絞り回転リングのためのクリックストップデバイスを有するカメラ用交換レンズは公知である。これらのクリックストップデバイスの目的は、ユーザに絞り回転リングの調整に関係する触覚フィードバック及び／又は音響的フィードバックを与えることである。例として、クリックストップ溝は、典型的なＦ値の設定値２２−１１−８−５．６−４−２．８−２に設けられてよい。その結果、ユーザは写真のための正しいＦ値の設定値を迅速に発見できる。
【０００３】
しかしながら、このようなクリックストップデバイスは、動画を製作するためにカメラ用交換レンズを使用することを希望するユーザにとっては不利である。昨今、例えばデジタル一眼レフカメラ及びミラーレスシステムカメラ等の大部分のデジタルシステムカメラは、写真を作成し、ビデオを製作するオプションを提供している。
【０００４】
ここでは、システムカメラは、完全に互換性のあるカメラシステムの中で交換可能な構成部品を含むカメラを意味すると理解される。一般的に、システムカメラはカメラ及び交換レンズからなる。
【０００５】
アマチュアは多くの場合標準的なオートフォーカスレンズを使用して作業するが、より意欲的なアマチュアや職業カメラマンは、専門的なカメラ装置と比べてコンパクトかつ費用効率が高いこの代替物を使用して比較的高品質の動画を撮影するために、多くの場合マニュアルレンズを使用する。ここでは、焦点及び絞りに対する直接的な制御が可能でなければならない。
【０００６】
市販されているマニュアルレンズは写真用途のために設計されているため、絞り回転リング上に上述のクリックストップ機構を有し、上記クリックストップ機構は、通常は半Ｆ値の段階における段階的な調整を可能とする。この場合の段階の間隔は、通常、カメラが露光時間／絞りの組合せを形成するために有効に処理できるものに相当する。
【０００７】
撮影中は、画像の明るさの急転を回避する連続的な、即ち段階のない絞り調整が有利であるため、このクリックストップ機構は動画記録時には厄介である。
【０００８】
従って、それにも関わらず連続的な調整を希望するユーザは、多くの場合、クリックストップ球体及びばねを取り除くことでレンズを交換する。この目的を達成するために、レンズ上のいくつかの部品を取り外さなければならず、うまく実行できない場合、ずれ又は損傷につながることがある。最終的に、ユーザはこのような介入によって保証も無効にしてしまう。
【０００９】
先行技術は、クリックストップデバイスがアクティブ動作位置で有効であり続けるクリックストップデバイスを有するレンズを開示している。その場合、クリックストップデバイスは非アクティブ動作位置では無効である。即ち、その場合、絞り回転リングを連続的に設定できる。
【００１０】
このようなクリックストップデバイスを有するレンズは、例えば特許文献１、特許文献２、特許文献３から公知である。
【００１１】
公知のクリックストップデバイスの場合、クリックストップ球体は、主鏡胴のボア内のクリックストップばねの上にある。公知のクリックストップデバイスの欠点は、クリックストップの効果をなくすために、構成部品がクリックストップ球体とそのクリックストップ溝との間で押される点である。しかしながらここでは、クリックストップ球体によって構成部品がクリックストップ溝の中に圧入されるように、クリックストップ球体に対する圧縮ばねの圧力が残っている。従って、非アクティブ状態においてでさえ一定量の圧力が維持され、絞り回転リングは摩擦が増大した状態で主鏡胴上のみを移動する。更なる欠点は、公知の先行技術では外部切替えレバーが設けられ、これらのレバーが動画記録中に不注意に作動し得るという点である。
【先行技術文献】
【特許文献】
【００１２】
【特許文献１】ドイツ特許第２７２５４０４Ａ１号
【特許文献２】スイス特許第３５０５４１号
【特許文献３】米国特許第２０１３／０１６３９７７９Ａ１号
【発明の概要】
【発明が解決しようとする課題】
【００１３】
ここで、本発明の目的は、代替クリックストップデバイスを備えるカメラ用交換レンズ、並びにカメラ用交換レンズの絞りのクリックストップデバイスを作動させる及び作動させないようにするための方法を提供することであり、これは上述の欠点を取り除くためである。
【課題を解決するための手段】
【００１４】
この目的は、請求項１及び請求項２１の特徴によって達成される。
【００１５】
本発明により、ユーザがクリックストップ機構を切断できる。これによって、上記ユーザは、写真撮影（クリックストップオン）及び動画撮影（クリックストップオフ）の両方にカメラレンズを使用できる。切替えは迅速に、かつカメラ用交換レンズのマウントを取り外すことなく生じる。カメラ用交換レンズ内で必要となる空間は小さく、クリックストップ機構を製造するためのコストは低い。
【００１６】
例として、クリックストップデバイスは主鏡胴のボア内に配設できる。クリックストップ要素、例えばクリックストップ球体は、クリックストップ球体が絞り回転リングに押し付けられ、絞り回転リングの各クリックストップ溝において、クリックストップ溝の中にわずかに圧入されるように圧力をかける圧縮ばねの上に配設される。その結果、ユーザは触覚フィードバック及び音響的フィードバックを得る。
【００１７】
代替として、圧縮ばねを絞り回転リング内に配設することもでき、クリックストップ球体を主鏡胴のクリックストップ溝と係合させることができる。
【００１８】
クリックストップ球体を、絞り回転リングの半径方向のボア内に配設することができ、次いで主鏡胴の外面に押し付けることができる。あるいは、クリックストップ球体を主鏡胴の半径方向のボア内に配設することができ、次いで主鏡胴の内面に押し付けることができる。
【００１９】
代替として、クリックストップ球体を、光学軸と平行に絞り回転リングのボア内に取り付けることができ、次いで主鏡胴の隣接する端面に押し付けることができる。又は、クリックストップ球体を光学軸と平行に主鏡胴のボア内に取り付けることができ、次いで絞り回転リングの隣接する端面に押し付けることができる。
【００２０】
クリックストップ球体の代わりに、ローラ又はカム又は任意の他の適切な要素をクリックストップ要素として設けることもできる。クリックストップ球体は、０．５〜２．５ｍｍの直径、好ましくは０．８〜１．７ｍｍ、例えば１．５ｍｍの直径を有してよい。
【００２１】
代替として、圧縮ばね及びクリックストップ要素を、絞り回転リングの（軸方向の）ボア内に配設することもできる。主鏡胴は、その場合対応するクリックストップ溝を備える。
【００２２】
移動要素はロッカー（ｒｏｃｋｅｒ）又は楔として実現できる。
【００２３】
楔又はスライダが次いで並進要素として働き、圧縮ばねとクリックストップ要素との間で摺動することによって、圧縮ばね及びクリックストップ要素を分離する。
【００２４】
ロッカーは、主鏡胴内のベアリングスタッドの周りで枢動できるように、特にロッカーが光学軸に平行な軸の周りで半径方向に枢動できるように配設できる。代替として、ロッカー及びベアリングスタッドを、絞り回転リングに配設してもよい。
【００２５】
好ましくは、ベアリングスタッドはロッカーの一方の端部領域に配設され、クリックストップ要素は、ロッカーが光学軸に対して略半径方向に及ぶ圧力をクリックストップ要素に印加するように、ロッカーの他方の端部領域に配設され、圧縮ばねは同様にロッカーに対して作用する。
【００２６】
アクティブ動作位置では、移動要素を切替え要素によって解放することによって、圧力ばねが移動要素を介してクリックストップ要素をクリックストップ溝の中に圧入できる。
【００２７】
非アクティブ動作位置では、移動要素を切替え要素によって固定することによって、圧力ばねがクリックストップ要素にいかなる圧力も印加できないようにする。これは、移動要素が、クリックストップ要素をクリックストップ溝の中に圧入できないように固定されることを意味する。
【００２８】
切替え要素を、カメラ用交換レンズの外部からアクティブ動作位置と非アクティブ動作位置との間で調整できる。例として、この目的を達成するために、カメラ用交換レンズにボアを設けることができる。例として、ボアはレンズマウントに形成され、光学軸と略平行に配向される。その結果、作動要素、例えばねじ回しが、ボアを通して一方の動作位置から他方の動作位置へと切替え要素を切り替えることができる。例として、この目的を達成するために、作動要素はスリットを有することができ、スリットの中にねじ回しが係合し、例えば１８０°分作動要素を回転する。
【００２９】
切替えばねは、例えば前段落で説明した回転によって、動作位置が作動要素によって変更されるまで、設定された各動作位置に切替え要素が留まるように、切替え要素に力を印加できる。ここで、切替え要素は、切替え要素が２つの切り替え状態の間で確実に切り替えることができ、個別の切替えが可能でなくてもそれぞれの切替え状態に留まるように実現される。
【００３０】
切替え要素をピンとして実現できる。例として、ピンはピンの端部のうちの一方に上述のスリットを備えてよい。更にピンは、例えばピンの他方の端部に、又はピンの他方の端部領域に配設される偏心要素を備えてよい。これは、ピンの軸方向の範囲において見られるように、偏心要素は移動要素に作用できるよう、この軸に対してオフセットして配設されることを意味する。
【００３１】
平坦部とも呼ばれる展伸加工部、特に２つの対向した展伸加工部を、ピンの軸方向範囲に沿った部分に形成することができ、展伸加工部は特に上述の切替えばねと相互に作用する。
【００３２】
切替えばねを板ばねとして実現できる。例として、切替えばねは主鏡胴の凹部に設置される。アクティブ動作位置では、切替えばねを第１の展伸加工部に押し付けることができ、非アクティブ動作位置では、切替えばねを、第２の、例えば反対側の展伸加工部に押し付けることができる。ここで偏心要素は、アクティブ動作位置において移動要素を固定し、非アクティブ動作位置において移動要素を解放するよう、ピン上に偏心的に配設できる。
【００３３】
クリックストップ溝の位置を、絞り回転リングに適用されるＦ値に対する正確な設定が、アクティブ動作位置において可能となるように選択できる。
【００３４】
圧力要素を圧縮ばね、特に円筒形の圧縮ばねとして実現できる。圧縮ばねは、例えば板ばね、レッグスプリング、特に金属タイプのトーションロッドによって等、異なるタイプのばねで置き換えることができる。例えばゴム等の弾性ばねタイプも使用できる。
【００３５】
上記カメラ用交換レンズを、好ましくはカメラ用交換レンズとして実現できる。よってカメラ用交換レンズは、カメラのカメラマウントへの接続用のレンズマウントを備えることができる。
【００３６】
更なる有利な実施形態は、従属請求項において特定される。
【００３７】
上述の特徴及びこれより以下に説明する特徴は、本発明の範囲から逸脱することなく、それぞれ明記された組合せで使用できるだけではなく、他の組合せにおいても、又はそれら単独でも使用できることが理解される。
【００３８】
本発明の例示的な実施形態を図面に示し、以下の説明により詳細に説明する。
【図面の簡単な説明】
【００３９】
【図１】図１は、アクティブ動作位置にある本発明によるカメラ用交換レンズを通る長手方向断面を示す図である。
【図２】図２は、クリックストップデバイスがアクティブ動作位置にある状態の、図１の詳細な断面を示す図である。
【図３】図３は、クリックストップデバイスがアクティブ動作位置にある状態の、図１のカメラ用交換レンズを通る断面を示す図である。
【図４】図４は、図３の詳細な断面を示す図である。
【図５】図５は、非アクティブ動作位置にある本発明によるカメラ用交換レンズを通る長手方向断面を示す図である。
【図６】図６は、クリックストップデバイスが非アクティブ動作位置にある状態の、図５の詳細な断面を示す図である。
【図７】図７は、クリックストップデバイスが非アクティブ動作位置にある状態の、図５のカメラ用交換レンズを通る断面を示す図である。
【図８】図８は、図７の詳細な断面を示す図である。
【図９】図９は、板ばねの領域にあるカメラ用交換レンズの断面を示す図である。
【図１０】図１０は、図９の詳細な断面を示す図である。
【発明を実施するための形態】
【００４０】
図１は、本発明によるカメラ用交換レンズ１を通る長手方向断面を示す。主鏡胴３を確認でき、この主鏡胴３には、この場合は虹彩絞りである絞り４及び光学要素５、即ちカメラ用交換レンズ１のレンズが配設される。主鏡胴３は、絞り回転リング８、被写界深度リング３０及び焦点リング３１を有するハウジング７に囲まれている。レンズマウント６はレンズのカメラ側端面３２に位置し、バヨネット式レンズフード３４及びフィルタスレッド３５はレンズ側端面３３に配設される。
【００４１】
光学要素５はカメラ用交換レンズ１の光学軸Ａを画定する。カメラ用交換レンズ１の組み立てられた状態において、主鏡胴３の機械軸、レンズマウント６は、カメラ用交換レンズ１の光学要素５の光学軸Ａと一致する。
【００４２】
図２は、クリックストップデバイス２の領域における図１の詳細な断面を示す。ここでは、クリックストップデバイス２はアクティブ動作位置にある。これは、偏心突起２９とロッカー１２との間の隙間３６によって識別できる。本発明の機能性は、以下の図の説明でより詳しく説明される。
【００４３】
図３は、クリックストップデバイス２の領域での本発明による図１のレンズを通る断面を示す。参照符号３７は絞り機構の部分を示す。絞り回転リング８は、絞り回転リング８の界面２１において主鏡胴に面するクリックストップ溝９を有する。更に明確にするために、これらには部分的にしか参照符号を付していない。例として、クリックストップ溝９を、典型的な絞り設定値２２−１１−８−５．６−４−２．８−２に設けることができる。これらのＦ値ｋは通常、ユーザが視認できるよう、絞り回転リング８の外側１０に示される。その結果ユーザは、写真のための正しい絞り設定値を迅速に見つけることができる。カメラ用交換レンズ１のＦ値ｋは、有効入射瞳ｋ＝ｆ／Ｄの焦点長ｆと直径Ｄとの比である。
【００４４】
図４は、クリックストップデバイス２の領域における図３の詳細な断面を示す。この場合、ロッカー１２である移動要素は、主鏡胴の切欠き部１１に形成される。ロッカー１２は一方の端部領域１３にボア１４を有し、ボア１４の中にベアリングスタッド１５が係合し、ボアの周りでロッカー１２が回転可能に設置される。
【００４５】
その中で圧縮ばね１８が係合する凹部１７は、ロッカー１２の他方の端部領域１６において、ベアリングスタッド１５から可能な限り離れて位置する。圧縮ばね軸Ｃの軸方向の伸長に沿って、この圧縮ばね１８は、クリックストップ球体１９に圧力を印加し、クリックストップ球体１９は、ロッカー１２を介して主鏡胴３の半径方向のボア２０に収容される。従って、ロッカー１２の部分は圧縮ばね１８とクリックストップ球体１９との間にある。従って、クリックストップ球体１９は、絞り回転リング８の内面２１に対してクリックストップ溝９のうちの１つの中に圧入される。
【００４６】
クリックストップデバイス２がアクティブ動作位置と非アクティブ動作位置との間で交代できるように、切替え要素２２を設ける。切替え要素２２は主鏡胴３内に回転可能に設置され、ロッカー１２の更なる切欠き部２３の中に入って偏心突起２９と係合する。
【００４７】
図４では、クリックストップ球体１９は、Ｆ値ｋ＝２２で最も外側のクリックストップ溝の中に圧入される。この場合、このクリックストップ溝９は、絞り回転リング８の端部位置も示す。従って、クリックストップ球体１９は、アクティブ動作位置にある上述の最も外側のクリックストップ溝９の中に部分的に圧入される。絞り回転リング８が追加のクリックストップ溝９の方向に回転する場合、ユーザはまず、クリックストップ溝９の中からクリックストップ球体１９を移動させるために、抵抗を克服しなければならない。
【００４８】
例えばＦ値ｋ＝１１でのクリックストップ溝９である次のクリックストップ溝９において、クリックストップ球体１９はこのクリックストップ溝９の中に部分的に圧入され、抵抗を克服することによって再びこのクリックストップ溝９の中から同様に移動できるだけである。
【００４９】
切替え要素２２は、好ましくは２つの所定の位置を有する。
【００５０】
図１〜図４によるアクティブ動作位置において、切替え要素２２は、ベアリングスタッド１５の周りでの回転移動のためにロッカー１２を解放し、その結果として圧縮ばね１８を、ロッカー１２によって妨げられることなくクリックストップ溝９の中にクリックストップ球体１９を圧入できる。アクティブ動作位置では、偏心突起２９とロッカー１２との間に隙間３６がある。即ち、偏心突起２９はロッカー１２の移動を妨げない。ロッカー１２、又はベアリングスタッド１５の枢動軸Ｂは、ロッカー１２が圧縮ばね１８とクリックストップ球体１９との間で主に直線状の移動を実行するように、クリックストップ球体１９及び圧縮ばね１８からの最大可能距離で取り付けられる。この例では、枢動軸Ｂ及び圧縮ばね軸Ｃは互いに９０°分回転される。
【００５１】
この例示的な実施形態では、枢動軸Ｂと圧縮ばね軸Ｃとの間の距離は約１５ｍｍである。１０ｍｍ〜３０ｍｍの距離も考えられる。
【００５２】
この例示的な実施形態では、圧縮ばね１８とクリックストップ球体１９との間のロッカー１２の移動は、直線の半径方向の移動から１°それる。しかしながら、０〜１０°の偏差を伴う実施形態も考えられる。
【００５３】
非アクティブ動作位置では、図５〜図８に示されるように、及び例えば１８０°の切替え要素２２の回転によって引き起こされるように、切替え要素２２の偏心突起２９を、ロッカー１２を圧縮ばね１８に対して押し付ける。その結果、圧縮ばね１８は圧縮され、クリックストップ球体１９は、クリックストップ溝９と、絞り回転リング８に対して押し付けられなくなる。即ち、従ってクリックストップ接続は切断される。偏心突起２９とロッカー１２との間の隙間３６は、今では不要となっている。代わりに、今では図面において、クリックストップ球体１９とクリックストップ溝９との間に小さな隙間３９を確認できる。ロッカー１２は切替え要素２２によって固定されている。これは、ピン形状の切替え要素２２の（偏心突起２９の）偏心部の（ここでは破線で示される）軸Ｅによって明確になっている。
【００５４】
非アクティブ動作位置において、絞り回転リング８に割り当てられた目盛り（ここでは図示せず）を有する絞り回転リング８は、絞り４のすべての中間値を設定できるようにするために、連続的に調整できる。
【００５５】
１８０°超又は１８０°未満の回転によってアクティブ動作位置から非アクティブ動作位置への調整が引き起こされる切替え要素２２も考えられる。
【００５６】
絞り回転リング８が主鏡胴３で容易に回転できるように、絞り回転リング８の内面２１と主鏡胴３の外面３８との間、即ちいわゆるクリックストップ経路に潤滑剤を提供する。この潤滑剤は、クリックストップ溝９の中、及びこの場合はクリックストップ球体１９であるクリックストップ要素上にも置かれる。例として、テフロングリースを潤滑剤として使用できる。
【００５７】
クリックストップデバイス２が非アクティブ動作位置にある場合、クリックストップ球体１９は、絞り回転リング８の第１の回転中にボア２０の中に沈み込み、クリックストップ球体１９は、わずかな付着効果によってボア２０内の潤滑剤でその場に保持される。クリックストップデバイス２がいったん作動されるときにのみ、クリックストップ球体１９は、再びボア２０の中から部分的に押し出される。
【００５８】
切替え要素２２の偏心突起２９の２つの位置は、平坦部とも呼ばれる２つの展伸加工部２４によって偏心シャフト２５上に画定され、平坦部に対して板ばね２６がそれぞれの端部位置で押し付ける。図９（及び詳細図としての図１０）は、切替え要素２２に係合する板ばね２６を示す。この板ばね２６及び平坦部２４の力の結果としてコギングトルクが生じる。これが、衝撃又は振動の結果としての望ましくない調整を防ぐ。コギングトルクの大きさは、より強力な板ばね２６若しくはより弱い板ばね２６によって、及び／又は平坦部２４の幾何学的形状によって影響を受け得る。これによって、クリックストップ効果の安全で容易に気付くことができる、触覚的に快適な切替えが可能となる。板ばね２６が展伸加工部２４に載っている場合、切替え要素２２の独立した回転は効果的に抑制される。
【００５９】
切替えは、例えば小さなねじ回し又は同様の設計の工具によって沈んだ界面において作動され、小さなねじ回し又は同様の設計の工具はこの場合レンズ用バヨネットであるレンズマウント６内の通過孔２７を通って、切替え要素２２においてスリット２８の中に係合する。これによって回避されるのは、外部に配設されたスイッチを備えた先行技術では起こり得る、カメラ用交換レンズ１を操作するときに、切替えが接触によって不注意に作動されることである。
【００６０】
動作中、通過孔２７は、接続されたカメラ（ここでは図示せず）によって覆われる。そうでない場合、通過孔はマウントカバーキャップ（ここでは図示しない）によって保護される。しかしながら別個のカバー、例えば、ねじ蓋付きの容器を設けてもよい。
【００６１】
原理的に、切替え要素２２を、例えば絞り回転リング８上のプッシュボタン又は回転ノブ又はスライド式スイッチによって操作することもできる。従って、スイッチを交換レンズ１及びカメラの組み立てられた状態において作動させることもできる。
【００６２】
上述の場合では、クリックストップ経路は、絞り回転リング８及び主鏡胴３の周囲に延在する。しかしながら原理的には、絞り回転リング８及び主鏡胴３の、互いに対して回転可能である２つのリング形状平面によって、クリックストップ経路を形成することもできる。ここでは平面は、例えば光学軸Ａに垂直に実現される。クリックストップ溝を絞り回転リング８上に形成することができ、クリックストップデバイスは主鏡胴３に形成することができ、逆の場合も同様である。
【符号の説明】
【００６３】
１    カメラ用交換レンズ
２    クリックストップデバイス
３    主鏡胴
４    絞り
５    光学要素、レンズ要素
６    レンズマウント
７    ハウジング
８    絞り回転リング
９    クリックストップ溝
１０  絞り回転リングの外側
１１  ロッカーのための切欠き部
１２  移動要素、ロッカー
１３  ロッカーの第１の端部領域
１４  ロッカー１２内のボア
１５  ベアリングスタッド
１６  ロッカーの第２の端部領域
１７  圧縮ばねのための切欠き部
１８  圧力要素、圧縮ばね
１９  クリックストップ要素、クリックストップ球体
２０  クリックストップ球体のための主鏡胴の半径方向のボア
２１  絞り回転リングの内面
２２  切替え要素、ピン
２３  偏心突起のための切欠き部
２４  展伸加工部
２５  切替え要素のための偏心シャフト
２６  切替えばね、板ばね
２７  ボア、貫通孔
２８  スリット
２９  偏心要素、偏心突起
３０  被写界深度リング
３１  焦点リング
３２  カメラ側端面
３３  レンズ側端面
３４  バヨネット式レンズフード
３５  フィルタスレッド
３６  偏心突起とロッカーとの間の隙間
３７  絞り機構の部分
３８  主鏡胴の外面
３９  クリックストップ球体とクリックストップ溝との間の隙間
Ａ    光学軸、機械軸
Ｂ    ベアリングスタッドの周りのロッカーの枢動軸
Ｃ    圧縮ばねの軸
Ｄ    ピンの軸
Ｅ    偏心突起の軸
【図１】
2015121790.tif 000003
【図２】
2015121790.tif 000004
【図３】
2015121790.tif 000005
【図４】
2015121790.tif 000006
【図５】
2015121790.tif 000007
【図６】
2015121790.tif 000008
【図７】
2015121790.tif 000009
【図８】
2015121790.tif 000010
【図９】
2015121790.tif 000011
【図１０】
2015121790.tif 000012